(57)【要約】【課題】高圧蒸気滅菌器にあって、ロック操作によるパッキン押圧力を高め、同パッキン部分の耐圧性を高めて耐圧力性をより向上せしめること、また、蓋を閉じる際の操作性を容易に成すことを課題とする。【解決手段】チャンバー３と蓋体４とを具備し、この蓋４はチャンバー３に取り付け固定される扉躯体３６に取り付け、蓋体４と共に回動自在に成し、扉躯体３６の他端側にはロックピン２０を装着して把手４０を取り付け、該ロックピン２０をスライド可能、回動可能に成し、蓋体４を閉じた状態において扉躯体３６先端のロックピン２０の突出位置にロック体３７を配置し、ロック体３７の挿通孔３８に平面状の掛止面３８ａを設け、ロックピン２０を突出して挿通孔３８に挿通せしめ、ロックピン２０を所定角度回動し、ロックピン２０に形成した突条２１が挿通孔３８の支承部３９に乗り上げるように構成し、乗り上げの分、蓋体４を閉め方向へ移動させ、蓋体４をチャンバー３の端面３ｂに密着せしめる。【選択図】　図１
2004081746.tif 000002
【特許請求の範囲】
【請求項１】
被滅菌物を収納するチャンバーと、該チャンバーの開口部を開閉可能に密閉する蓋体とを具備し、この蓋はチャンバーに装着した扉躯体により支持し、
同扉躯体は一端に枢支部を設け、蓋体と共に回動自在に成して同蓋体をチャンバーの開口に対し開閉動自在に支持し、上記扉躯体の他端側には突出及び没入自在に移動するロックピンを装着すると共に、このロックピンに把手を取り付け、該ロックピンを手動により軸方向にスライド可能、及び所定の範囲内にて回動可能に支持し、上記扉躯体先端のロックピンの突出位置に、蓋体を閉じた状態で同ロックピンと嵌合するロック体を配置してチャンバーに固定し、
上記ロック体にはロックピンを挿入する挿通孔を開設し、該挿通孔内周面の一部に平面状の掛止面を設けると共に、この掛止面に支承部を設け、
上記ロックピンを突出方向にスライドせしめて同ロックピンの先端部をロック体の挿通孔に挿通せしめ、次いでロックピンを所定角度回動せしめることにより、同ロックピンの周面に形成した突条が上記ロック体挿通孔の支承部に乗り上げるように構成し、この乗り上げ寸法の分、蓋体を閉め方向へ移動させて、上記蓋体に装着したリング状パッキンをチャンバーの開口に対して密着するように構成した高圧蒸気滅菌器。
【請求項２】
ロックピンの突条を断面略山形とする一方、ロック体の挿入孔内周面の支承部として上記突条の頂部が嵌合する支承溝を形成して成る請求項１記載の高圧蒸気滅菌器。
【請求項３】
ロックピンの突条を断面略山形に形成し、その突出先端に平面からなる当接面を形成し、且つロック体の挿入孔内周面の支承部を平面にて構成して成る請求項１記載の高圧蒸気滅菌器。
【発明の詳細な説明】
【０００１】
【発明の属する技術分野】
この発明は高圧蒸気滅菌器に関し、さらに詳しくはチャンバーの開口部を開閉自在に成す蓋体のロック機構を改良した高圧蒸気滅菌器に関する。
【０００２】
【従来の技術】
従来、医療用器具等を滅菌するには、高圧蒸気滅菌器が広く使用されている。従来の滅菌器は、医療用器具等の被滅菌物を収納して密閉するチャンバーを具備し、このチャンバーの中に適量の水を供給し、この水をヒータで加熱することにより、同チャンバー内に収納した被滅菌物を高圧蒸気にて滅菌するものである。
高圧蒸気滅菌器による滅菌作業は、「給水、蒸気置換、加圧昇温、滅菌、排気」という工程で行なわれる。その際、上記工程中において被滅菌物を収納するチャンバー内を高圧蒸気で満たすため、チャンバーの開口部を開閉可能な蓋体により確実に密閉する必要がある。
【０００３】
図１３，図１４は従来の高圧蒸気滅菌器を示している。この高圧蒸気滅菌器において、チャンバー１０１の開口部１０２を密閉する蓋内面の外周部位に沿ってリング状のパッキン１０４を嵌装してある。
図１４にて示すように、従来の高圧蒸気滅菌器は、正面に開口部を有するチャンバーの開口部１０２の端面に平面状の端面１０３を周設し、この端面１０３に蓋体１０５のパッキン１０４が密着するように構成してある（図１３−ａ）。
即ち、上記したパッキン１０４を介して同チャンバー１０１の開口部と蓋体内面とを密着させて、チャンバー１０１内の気密を維持している。
【０００４】
上記した蓋体１０５は、回動アーム１０６を介してチャンバー１０１の外周面の開口部両側部位（右側，左側）により支持している。そして、チャンバー１０１の両側部には各々フランジ１１１，１１６を固着してある。一端側のフランジ１１１には、側面略コ形に形成したヒンジ１１２を取り付け固定し、該ヒンジ１１２により扉１２０の躯体となり蓋体１０５を取り付け支持するための躯体となる回動アーム１０６の一端側を枢軸１０７を介して回動可能に枢支している。
上記したように、水平方向に回動する回動アーム１０６の内側には円形の蓋体１０５を取り付け支持し、同蓋体１０５と回動アーム１０６とが一体となって回動するように構成してある。これにより蓋体１０５はチャンバーの開口部１０２を開閉するように支持され、閉じた状態ではパッキン１０４がチャンバー１０１の開口部１０２の端面１０３に対して密着した状態となる。
一方、上記回動アーム１０６の他端側にはロックピン１１３を軸芯方向へスライド可能に嵌装し、その先端部が回動アーム１０６の先端面から突出及び没入することになる。上記ロックピン１１３には２本の取り付けボルト１１４を介して把手１１５を取り付け固定してある。この把手１１５はロックピン１１３をスライドさせるためのものである。
【０００５】
把手１１５を持って蓋体１０５を閉じ、さらにパッキン１０４を押圧した状態にて把手１１５を持ちロックピン１１３を突出方向へスライドさせることにより、ロックピン１１３がチャンバー１０１開口部１０２の他端側のフランジ１１６に取り付け固定したロック体１１７の挿通孔１１８に嵌入されて蓋体１０５を閉じた状態とする。
また、反対に蓋体１０５が閉じた状態から把手を持ってロックピン１１３を後退させることにより、ロックピン１１３と挿入孔１１８との嵌合が外れて蓋体１０５が開かれる。
【０００６】
【発明が解決しようとする課題】
上記したように構成される従来の高圧蒸気滅菌器は、蓋体１０５の開閉をロックピン１１３とロック体１１７の挿通孔１１８（円形孔）の嵌合をもって行なっている。通常の使用では全く問題はない。
しかし、上記した如く構成した高圧蒸気滅菌器にあっては、蓋１０５を閉じるために把手１１５を持ってパッキン１０４をチャンバ−１０１の開口に押し付けて圧縮するように変形させ、この状態から把手１１５をスライドさせてロックピン１１３をロック体１１７の挿通孔１１８に嵌入する作業をおこなう。
この作業は女性の看護師等が行なうこともあるので、パッキン１０４をチャンバー１０１の開口部端面に密着させる力にも限界があり、把手１１５を持って押圧させながらスライドさせる作業は非力な女性等には力のいる作業であった。また、このようなことが背景にあるため、パッキンの押圧力は比較的低めに設定してある。
上記したように、把手１１５を持って蓋１０５を閉じる時、同蓋１０５の押圧力が比較的低めであるため、パッキン１０４が古く変形している場合等、圧力上昇時の初期段階で蒸気漏れを生じることがある。
【０００７】
本発明は、上記した如くロックピンとロック体の挿通孔との嵌合により蓋体をロックする型式の高圧蒸気滅菌器にあって、ロック操作によるパッキン押圧力を高め、同パッキン部分の耐圧性を高めて耐圧力性をより向上せしめること、また、蓋を閉じる際の操作性を容易に成すことを課題とする。
【０００８】
【課題を解決するための手段】
本発明は、上記した課題を解決するために、被滅菌物を収納するチャンバーと、該チャンバーの開口部を開閉可能に密閉する蓋体とを具備する。この蓋はチャンバーに取り付け固定される扉躯体に取り付け支持してある。
上記した扉躯体は一端に枢支部を設けてあり、この枢支部を中心として上記蓋体と扉とが回動し、蓋体はチャンバーの開口部に対して開閉自在に支持される。
【０００９】
また、上記した扉躯体の他端部には突出及び没入自在にスライドするロックピンを嵌挿してある。このロックピンには把手を取り付け固定し、この把手を持ってロックピンを軸方向にスライドすることができる。また、上記ロックピンは把手を持って所定の範囲内にて回動するように構成してある。
上記蓋体を閉じた状態において、扉躯体先端のロックピンの突出位置には、蓋体を閉じた状態でロックするロック体を配置してある。このロック体はチャンバーに取り付け固定してあり、上記ロックピンを挿通する挿通孔を開設してある。上記した挿通孔の内周面の所定部には平面状の掛止面を設けてある。そして、この掛止面の所定位置に支承部を設ける。
【００１０】
上記したロックピンを突出方向にスライドせしめて同ロックピンの先端部を上記ロック体の挿通孔に挿通せしめる。この際、ロックピンの外周面は上記挿通孔の掛止面に軽く当接若しくは近接した状態とする。上記したロックピンの周面には突条が軸方向へ延びるように形成してある。
そして、上記状態から把手を持ってロックピンを所定角度回動せしめることにより、上記したようにロックピンの周面に形成した突条が、ロック体挿通孔の支承部に乗り上げる。このことから、蓋体の回動先端側は上記乗り上げ寸法の分、閉じ方向へ移動して、同蓋体に装着したリング状パッキンをチャンバーの開口部周縁の端面に対して適度な押圧力により密着し、パッキン部の気密を確実に維持する。
【００１１】
請求項２記載の高圧蒸気滅菌器は、ロックピンの突条を断面略山形に形成すると共に、ロック体の挿入孔内周面の掛止面の支承部に上記突条が嵌入し得る支承溝を形成してある。
よって、使用者が把手を握ってスライドした後、同把手を回動すると、ロックピンの外周面に設けた突条が挿入孔内の掛止面の支承部に乗り上げ、同支承部に設けた上記支承溝内に落ち込む。これにより、ロックピンの回動が抑止され、ロックピンは乗り上げ寸法だけチャンバー開口部側へ移動し、蓋体を背後から押圧してパッキンをチャンバー開口部口縁に圧着せしめる。
【００１２】
請求項３記載の高圧蒸気滅菌器は、ロックピンの突条を断面略山形に形成して突出端に平面からなる当接面を形成してある。一方、ロック体の挿入孔内周の掛止面に設ける支承部を平面にて構成してある。
よって、　把手を持ってスライドした後、該把手を回動すると、ロックピン及びその外周面に設けた突条が挿入孔内周面の掛止面の支承部に乗り上げ、同支承部の平面上にロックピンの突条端の平面的な当接面が当接してその状態が保たれる。
これにより、ロックピンは支承部に乗り上げた寸法だけチャンバー開口部側へ移動し、蓋体のパッキンをチャンバー開口部口縁に対して適度に圧着せしめる。
【００１３】
【発明の実施の形態】
次に本発明の実施例を説明する。
図１は、高圧蒸気滅菌器Ａを示している。この滅菌器の本体１は、正面に開閉する扉２を備え、該扉２の一側部を枢支することにより、開閉自在に取付け支持してある。尚、上記扉２は強度を確保する回動アーム３６に被覆板２０を取り付けることにより扉２として構成してある。
扉２の内側には後述するチャンバー３の開口部３ａを開閉可能に密閉する円板状の蓋４を取り付け固定してある。この蓋４の内面にはリング状のパッキン５を嵌装し、該パッキン５がチャンバー３の開口部３ａの端面に構成される端面３ｂに対して密着するように構成してある。
また、蒸気滅菌器本体１の内部には、医療用器具等の被滅菌物を収納する略筒形状のチャンバー３を設けてある。
【００１４】
本実施例の高圧蒸気滅菌器Ａに用いたチャンバー３はステンレス製であり、背面側の端部を塞いだ形状の容器である。このチャンバー３は正面側端部の開口部３ａが蒸気滅菌器本体１の正面に露呈するように設置してある。また、チャンバー３の開口部３ａの口縁は外周側へ断面略コ形に折り曲げて端面３ｂを形成し、上記の如く、この開口部口縁部を滅蒸気菌器本体１の正面に露呈せしめてある（図１）。
上記チャンバー内の底部には底板１０を設け、該底板１０の下側にヒータ８を水平に挿入してある。また、同チャンバー３の隣には貯水タンク（図示せず）を設け、滅菌工程において同チャンバー３内に所定量の給水を行なえるように構成してある。
【００１５】
上記したチャンバー３外周の開口部３ａ側外周の一側と他側には、鋼板から成るフランジ３２，３３を各々取り付け固定し、その一方のフランジ３２には側面視略コ形に形成したヒンジ５１を取り付け固定してある。上記したヒンジ５１には１本の枢軸３５を垂直に貫通させ、該枢軸３５により角柱状に形成した回動アーム３６の一端部を軸支してある。一端を枢軸３５に軸支された回動アーム３６は同枢軸３５を支点として水平方向へ回動する。
また、回動アーム３６はチャンバー３開口部３ａと向かい合わせる面に円形の蓋体４を取り付け固定してある。蓋体４はチャンバー３の開口部３ａを開閉する蓋であり、そのチャンバー３開口部３ａ側の面には、上記開口部３ａの端面３ｂに密着するリング状のパッキン５を嵌装してある（図１）。
【００１６】
他方のフランジ３３には上記回動アーム３６の先端部をロックするロック体３７を取り付け固定してある。図１，図２にて示すように、ロック体３７は回動アーム３６の先端に接する形でフランジ３３から突出している。また、ロック体３７の所定位置には略四角形状の挿通孔３８を開設してある。この挿通孔３８は、後述するロックピン２０の先端部を挿通する孔であり、その内周面の起立部分には垂直に起立する掛止面３８ａを平面的に形成し、その中間部には小さな半円径の支承溝３９を凹設してある。この支承溝３９は後述するロックピン２０に設ける突条２１を掛止するものである。
【００１７】
回動アーム３６の先端面にはロックピン２０を嵌入するためのガイド孔２２を穿設してある。ガイド孔２２はロックピン２０の先端面から回動アーム３６長さ方向へ穿設したものである。ロックピン２０は適度な嵌め合いを介してガイド孔２２内に嵌入してある。そして、ロックピン２０はガイド孔２２内に完全に嵌入した状態からスライドさせることにより、回動アーム３６の開口から所定長さ突出するように構成してある。またロックピン２０は、上記した突出状態からガイド孔２２内に完全に没入するようにスライドする。ロックピン２０は突出状態で蓋体２を閉め、また没入状態で蓋体２が開くことになる。
【００１８】
ロックピン２０は上記ガイド孔２２の全長よりも若干短い長さの軸であり、同軸の略中央部には、２本の連結軸２４を所定の間隔を置いて固定してある。２本の連結軸はロックピン２０の外周から前方へ向けて突出する状態で固定され、その先端部には把手４０を取り付け固定してある。即ち把手４０を持ってスライドさせると、上記ロックピン２０がガイド孔２２内をスライドする（図５）。
また、回動アーム３６の先端部外周には上記した両連結軸２４をスライド及び回動作動可能にガイドするガイド孔２３を切欠成形してある。ガイド孔２３は、両連結軸２４を回動アーム３６の長さ方向へ移動せしめるスライド部２３ａ，２３ａ’と、連結軸２４を下方へ回動せしめる回動部２３ｂとから構成してある。上記スライド部２３ａは２本の連結軸２４が入り込む長孔であり、両連結軸２４がこのスライド部２３ａ内に位置する時、ロックピン２０はガイド孔２２内に完全に入り込んだ状態となる。
【００１９】
また、把手４０を持って蓋外周へ向けて水平移動させると、両連結軸２４はスライド部２３ａ及び２３ａ’にガイドされてガイド孔２３内の端面である停止部２３ｃに突き当たって停止する。この状態においてロックピン２０はガイド孔２２の開口部から所定の長さ突出して挿通孔３８内に嵌入した状態となる（図８仮想線）。この状態において、ロックピン２０の嵌入位置は、その外周面が挿通孔３８の掛止面に軽く接触するか近接した状態に設定しておく。
次いで把手４０を下方へ回動させると、両連結軸２４を介してロックピン２０を所定の角度回動させる（図６）。この状態において、両連結軸２４はガイド孔２３の回転部２３ｂ内に嵌入し、ロックピン２０を所定角度回動せしめると共にロックピン２０先端が回動アーム３６の先端面から突出した状態を維持する（図４）。
これにより、突出したロックピン２０の先端部がロック体の挿通孔３８に嵌入してロックされた状態となる（図４，図６）。尚、把手４０は上記両連結軸２４がスライド部２３ａから２３ａ’へ完全に移動しない限り把手４０を下方へ回動することができないので、ロック未完全のミスを防止することができる。
【００２０】
また、ガイド孔２２の内周にはロックピン２０の突条２１の嵌入する溝２９が形成してある。したがって、突条２１の長さをロックピンの突出ストロークよりも若干短く設定することで、同突条２１が上記溝２９から完全に出ない限り把手４０を下方へ回動することができず、上記した場合と同様にロック未完全を防止し得る。
【００２１】
上記ロックピン２０の先端側外周には突条２１を凸設してある。突条２１は蓋体４をチャンバー３開口部３ａの端面に当接した状態からさらに所定量押圧するものであり、必要な押圧寸法分、ロックピン２０の周面から突出させてある。突条２１は断面略半円形であり、同ロックピン２０の軸方向へ向けて延出してある。また、突条２１の延出長さは同ロックピン２０の突出分と略一致させてあり、ロックピン２０が突出した状態において、基端側がガイド孔２２の開口部から突出する状態を維持し、また、ロックピン２０を回動させる際に、ガイド孔２２に掛からないように構成してある（図４）。即ち、ロックピン２０のスライドが完全ではない場合、同ロックピンを回動することはできない。
【００２２】
また、上記ロックピン２０が挿入される挿通孔３８内周の把手側の面には掛止面３８ａを設けてある。既述したように、本実施例の掛止面３８ａは平面且つ垂直に形成し、該掛止面３８ａの中間部には断面円弧形の支承溝３９を凹設してある。支承溝３９は上記ロックピン２０の突条２１の頂部が嵌合する小溝であり、把手４０を下方に回動した際にロックピン２０と共に突条２１が回動し、該突条２１が上記掛止面３８ａに乗り上げた際に、突条２１の頂部が上記支承溝３９内に掛止されることにより、ロックピン２０及び把手４０が回動位置にて保持されるように構成してある（図９，図１０）。上記したようにロックピン２０がロックされた瞬間、支承溝３９に突条２１頂部が乗り上げた手応えを感じるので使用者は蓋体４が完全にロックさせたことを確認できる。
【００２３】
ところで、上記したように把手４０を下方へ回動させることによりロックピン２０を回動させると、同ロックピン２０の先端に形成した突条２１が掛止面３８ａに乗り上げ、さらに支承溝３９に掛止した状態では、略突条２１の突出分、ロックピン２０がチャンバー３の開口部３ａ端面３ｂへ向けて、乗り上げの寸法分移動する（図１１−ａ）。これに伴ってロックピン２０を装着した回動アーム３６を介して蓋体４がチャンバー３開口部３ａの端面３ｂに対して押圧し、同蓋体４のパッキン５をチャンバー３開口部３ａの端面３ｂに対して適度に圧着せしめ、同部分における気密を保つ（図１１−ｂ）。
【００２４】
一方、蒸気滅菌を終えた後、蓋体４を開けるには、下げておいた把手４０を引き上げることによりロックピン２０が反対方向に回動し、突条２１と支承溝３９の掛止が外れ、突条２１が掛止面３８ａから離間し、これにより蓋体４が上記した乗り上げの寸法分開方向へ戻される。さらに、把手４０を持ってロックピン２０を退動方向へスライドさせると、同ロックピン２０がガイド孔２２内没入した時点でロックが外れ、蓋体４が開かれる。
【００２５】
次に図１２にて示すロック部の説明を行なう。
図１２のロック構造は上記したものと同様に構成されるが、ロックピン２０に突設する突条５１頂部の形状が異なる。この突条５１の場合、断面略台形、若しくは山形に形成する。この突条５１の頂部には平面状の当接面５３を形成すると共に、該当接面５３が乗り上げる掛止面３８ａに設ける支承部５０を平面にて構成してある。以上のように構成した突条構造によれば、把手を下方へ回動してロックピン２０の突条５１を掛止面３８ａに乗り上げ、さらに突条５１の頂部の当接面５３が掛止面３８ａの支承部５０に乗り上げた時、平面（掛止面）と平面（当接面）との突き合わせることにより安定し、この状態を維持する。
上記した掛止面はロックピンの突条５１が乗り上げる部分と、支承部とが平面にて構成されていればよく、挿通孔のその他の内周面はどのような形状であってもよい。
尚、上記した突条は所謂カムと同様な機能を具備するが、軸芯から最も離れた頂部が掛止面の支承部に乗り上げるように構成して有ればよい。また、同突条は頂部に上記した如き当接面と掛止面，及び支承面や突条頂部と支承溝とのように、突条の頂部が当接面に当接した状態を維持する係止手段を具備するものであれば既存のどのような構成のものを用いても良い。
【００２６】
【発明の効果】
本発明の高圧蒸気滅菌器は、以上説明した如く構成したものであるから、使用に際して蓋体を閉じるには、使用者が把手を持ってスライドさせることにより、ロック体の挿通孔にロックピンを挿入させる。その後把手を持って上記ロックピンを回動させることにより、ロックピンの外周面に形成した突条が上記掛止面の支承部に乗り上げる。この操作により、ロックピンは突条の乗り上げ寸法分だけ蓋体をチャンバー側へ移動し、これにより、蓋体のパッキンをチャンバーの端面へ適度に押圧してチャンバー開口部の気密を保つものである。
【００２７】
したがって、使用者は使用に際して把手を持ちスライドし、次いで同把手を回動させてロックピン外周面の突条部を支承部に乗り上げる操作を行なう。よって、従来のように蓋体を押し付けた状態で把手をスライドしてロックするもののように、操作に力を必要とせず、非力な女性等でも蓋を閉める操作を無理なくおこなうことができる。
さらに本発明の把手操作はロックピンを回動させて蓋体を背後から押圧し、パッキンに加わる押圧力を適度に加えるものであるから、支承部に乗り上げる際の手応えにより正常にロックされたことを確認することができるので、ロックの操作ミスを防止し得る。
【００２８】
請求項２記載の高圧蒸気滅菌器は、上記高圧蒸気滅菌器において、ロックピンの突条を断面略山形とする一方、ロック体の挿入孔内周面の支承部として上記突条の頂部が乗り上げる支承溝を形成して成るものである。
よって、使用者が把手を握ってロックピンをスライドした後、同把手を持って回動すると、上記ロックピンが回動し、その外周面に設けた突条の頂部が挿入孔内周面の支承部に乗り上げ、支承部に設けた支承溝内に落ち込む。
これにより、ロックピンの回動が抑止されてその状態を維持でき、同ロックピンによるロックが正しく行なわれたことを確認できる。
また、上記した如くロックピンは乗り上げ寸法の分、チャンバー開口部側へ移動し、蓋体及びパッキンをチャンバー開口部口縁に常時一定して圧着せしめることができる。そして使用者は乗り上げ時の手応えにより蓋体が正常にロックされたことが分かるので、ロックの操作ミスを防止できる。
【００２９】
請求項３記載の高圧蒸気滅菌器は、請求項１記載の高圧蒸気滅菌器において、ロックピンの突条を断面山形に形成し、その突出端に平面から成る当接面を形成すると共に、ロック体の挿入孔内周面の支承部を平面にて構成して成るものである。
したがって、把手を握ってロックピンをスライドした後、同把手を持って回動操作すると、スライドしたロックピンが回動し、その外周面に設けた突条が挿入孔内周面に設けた平面的な支承部に乗り上げる。この際、突条の突出端に形成した平面的な当接面が上記支承部の平面に当接する。
その結果、平面同士が突き合うことでロックピンの回動が抑止されその状態を維持でき、同ロックピンによるロックが正しく行なわれたことが確認できる。
また、上記したように、ロックピンは乗り上げ寸法だけチャンバー開口部側へ移動し、蓋体のパッキンをチャンバーの開口部口縁に常時一定した押圧力にて圧着せしめることができる。
【図面の簡単な説明】
【図１】本発明を実施した高圧蒸気滅菌器を示す斜視図。
【図２】同高圧滅菌器を示す平面図。
【図３】扉を省略して示す同高圧滅菌器の正面図。
【図４】同高圧滅菌器のロック部分を一部切欠して示す平面図。
【図５】ロックピンを示す斜視図。
【図６】図４におけるＶＩ−ＶＩ　線断面図。
【図７】図４におけるＶＩＩ−ＶＩＩ　線断面図出有り、把手を下げた状態を示す。
【図８】同高圧滅菌器のロック部分を一部切欠して示す正面図。
【図９】図８におけるＩＸ−ＩＸ　線断面図。
【図１０】（ａ）はロックピンとロック体部分とを示す側面図、（ｂ）はパッキンとチャンバー開口部のシール部分を示す縦断側面図。
【図１１】（ａ）は把手を下方へ回動した状態のロック部を一部切欠して示す側面図、（ｂ）は蓋体のパッキンとチァンバーの開口部端面との気密部分をしめす重断面図。
【図１２】ロックピンの突条を断面略台形に形成したロック部を示す縦断面図。
【図１３】（ａ）は従来の高圧蒸気滅菌器であって、ロックピンをスライドさせてロック体の挿入口に挿入した状態を一部切欠して示す平面図、（ｂ）は、蓋体の閉め方が不十分でロックピンの先端がロック体に当接した状態を一部切欠して示す平面図。
【図１４】従来の高圧蒸気滅菌器を示す斜視図。
【符号の説明】
Ａ・・・高圧蒸気滅菌器
１・・・蒸気滅菌器本体
２・・・扉
３・・・チャンバー
３ａ・・・開口部
３ｂ・・・端面
４・・・蓋
５・・・パッキン
２０・・・ロックピン
２１・・・突条
２２・・・ガイド孔
２４・・・連結軸
３６・・・回動アーム（扉躯体）
３７・・・ロック体
３８・・・挿通孔
３８ａ・・・掛止面
３９・・・支承溝
４０・・・把手
５０・・・支承部
５１・・・突条
５３・・・当接面
【図１】
2004081746.tif 000003
【図２】
2004081746.tif 000004
【図３】
2004081746.tif 000005
【図４】
2004081746.tif 000006
【図５】
2004081746.tif 000007
【図６】
2004081746.tif 000008
【図７】
2004081746.tif 000009
【図８】
2004081746.tif 000010
【図９】
2004081746.tif 000011
【図１０】
2004081746.tif 000012
【図１１】
2004081746.tif 000013
【図１２】
2004081746.tif 000014
【図１３】
2004081746.tif 000015
【図１４】
2004081746.tif 000016